(57)【要約】【課題】ハーフカット後の搬送過程での光学フィルム部材の剥離を生じることなく、かつ、キャリアフィルムの剥離を良好に行うことを可能とする光学表示ユニットの製造方法を提供することにある。【解決手段】粘着剤層を介して光学フィルム部材に設けられた第1キャリアフィルムを剥離して当該光学フィルム部材の検査をし、第2キャリアフィルムを前記粘着剤層を介して前記光学フィルム部材に貼り合わせ、当該キャリアフィルムを切断せずに光学フィルム部材を切断し、当該第2キャリアフィルムを剥離しつつ、当該切断された光学フィルム部材を前記粘着剤層を介して光学表示ユニットに貼り合わせる光学表示ユニットの製造方法であって、第2キャリアフィルムを前記光学フィルム部材に貼り合わせる前に、当該第2キャリアフィルムの貼り合わせ面を表面処理することを特徴とすることを特徴とする。【選択図】図１
2010026314.tif 000002
【特許請求の範囲】
【請求項１】
粘着剤層を介して光学フィルム部材に設けられた第１キャリアフィルムを剥離して当該光学フィルム部材の検査をし、第２キャリアフィルムを前記粘着剤層を介して前記光学フィルム部材に貼り合わせ、当該キャリアフィルムを切断せずに光学フィルム部材を切断し、当該キャリアフィルムを剥離しつつ、当該切断された光学フィルム部材を前記粘着剤層を介して光学表示ユニットに貼り合わせる光学表示ユニットの製造方法であって、
前記第2キャリアフィルムを前記光学フィルム部材に貼り合わせる前に、当該第2キャリアフィルムの貼り合わせ面を表面処理することを特徴とする光学表示ユニットの製造方法。
【請求項２】
前記表面処理は、プラズマ処理、オゾン処理、およびコロナ処理から選択されることを特徴とする請求項１に記載の光学表示ユニットの製造方法。
【請求項３】
前記第２キャリアフィルムと光学フィルム部材は、
式ｆ＝ｒ／Ｅ’（ｒは第2キャリアフィルムの剥離力（Ｎ／５０ｍｍ、Ｔ剥離法）、Ｅ’は曲げ応力であり、Ｅ’＝曲げ弾性率Ｅ（Ｎ／ｍｍ２、ＪＩＳ  Ｋ  ７２０３試験法）×光学フィルム部材の厚みｔ（ｍｍ）。）
であるとき、当該式が、
ｆ＝２．０×１０−４〜１．５×１０−３
であることを特徴とする請求項１または２に記載の光学表示ユニットの製造方法。
【発明の詳細な説明】
【技術分野】
【０００１】
本発明は、光学フィルム部材を粘着剤層を介して貼り合せた光学表示ユニットの製造方法に関する。
【背景技術】
【０００２】
本出願人は、一方面に保護フィルムを設け、多方面にキャリアフィルムを設けた帯状の偏光フィルムを繰り出し、当該キャリアフィルムを剥離してから、偏光フィルムの欠点検査を行ない、その後、再びキャリアフィルムを偏光フィルムに貼り合せ、次いで、キャリアフィルムを残して偏光フィルム及び保護フィルムを切断し（ハーフカットと称する）、次いでキャリアフィルムをナイフエッジで剥離しつつ偏光フィルム（保護フィルム付き）を送りだし、当該偏光フィルムを液晶パネルに貼り合わせる光学部材貼合せ方法について創作した（特許文献１）。
【０００３】
【特許文献１】ＷＯ２００８／０４７７１２（請求項７、図１、８）
【発明の開示】
【発明が解決しようとする課題】
【０００４】
しかしながら、特許文献１の構成の場合、偏光フィルムを切断する際に、偏光フィルムの搬送を停止させ、レーザ装置においてハーフカットする必要があることから、レーザ装置の前後に、偏光フィルムの連続搬送を維持しつつ切断位置での搬送を停止させるためにダンサローラが配置されている。ハーフカットされた偏光フィルムはキャリアフィルム上に粘着剤層を介して貼り合わされているにすぎず、ダンサローラや搬送用のガイドローラに掛け渡され、搬送される過程において、偏光フィルムが粘着剤層から剥離することが考えられる。特に、検査前にキャリアフィルムを剥離し、検査後に再びキャリアフィルムを貼り合わせた構成の場合に、再び貼り合わせたキャリアフィルムと偏光フィルム（粘着剤層）との粘着結合力が弱いため、例えば、ローラに接して搬送方向が変更する際（例えば９０度の角度で搬送方向が変更するような場合）や、ハーフカット切断位置がローラに接した状態で停止しているような場合等に、新たなキャリアフィルムから偏光フィルムがその切断位置で剥離する問題がある（図６参照）。
【０００５】
一方、再びキャリアフィルムを貼り合わせる際に、ローラ対で当該キャリアフィルムと偏光フィルムを挟み込み圧力を作用させる。このローラ対の圧力を強くすれば粘着結合力も向上するが、一方で粘着剤層の均一な厚みを変形させてしまい、はみ出し等の別の問題を生じるため好ましくない。
【０００６】
また、キャリアフィルムと偏光フィルムとが強く粘着結合していては、後段の工程において、キャリアフィルムを好適に剥離させることができなくなり、偏光フィルムと液晶パネルの貼り合わせを行なえない（図７参照）。すなわち、ハーフカット後の搬送過程での偏光フィルムの剥離を生じることなく、かつ、剥離手段でのキャリアフィルムの剥離を良好に行うために、再び設けるキャリアフィルムと偏光フィルムとの粘着結合力をコントロールする必要がある。
【０００７】
本発明は、上記の実情に鑑みてなされたものであって、その目的は、ハーフカット後の搬送過程での光学フィルム部材の剥離を生じることなく、かつ、剥離手段でのキャリアフィルムの剥離を良好に行うことを可能とする光学表示ユニットの製造方法を提供することにある。
【課題を解決するための手段】
【０００８】
上記課題を解決するために、鋭意研究を重ねた結果、以下の本発明を完成するに至ったものである。
【０００９】
本発明の光学表示ユニットの製造方法は、
粘着剤層を介して光学フィルム部材に設けられた第1キャリアフィルムを剥離して当該光学フィルム部材の検査をし、第２キャリアフィルムを前記粘着剤層を介して前記光学フィルム部材に貼り合わせ、当該キャリアフィルムを切断せずに光学フィルム部材を切断し、当該キャリアフィルムを剥離しつつ、当該切断された光学フィルム部材を前記粘着剤層を介して光学表示ユニットに貼り合わせる光学表示ユニットの製造方法であって、
前記第2キャリアフィルムを前記光学フィルム部材に貼り合わせる前に、当該第2キャリアフィルムの貼り合わせ面を表面処理することを特徴とする。
【００１０】
この構成によれば、光学フィルム部材の検査前に第1キャリアフィルムを剥離し、当該検査後に第２キャリアフィルムを貼り合わせ、次いで、検査結果に応じてハーフカットをする構成において、第２キャリアフィルムを貼り合わせる前に、第２キャリアフィルムの貼り合わせ面に対し、表面処理を施している。この表面処理を施すことで、第２キャリアフィルムと粘着剤層との粘着結合力が大きくなる。よって、搬送途中における光学フィルム部材の剥がれが生じることがない。また、剥離手段における第2キャリアフィルムの剥離も良好になる。第２キャリアフィルムとして、第1キャリアフィルムを再利用する構成としてもよい。
【００１１】
上述の剥離手段としては、例えば、ナイフエッジ形状を有していることが好ましい。また、剥離手段は、例えば、複数のローラの組み合わせで構成されていてもよく、当該ローラの直径を小さくして、ナイフエッジ先端形状に近づけて、ナイフエッジ先端形状と同様の作用を実現させることができる。
【００１２】
第2キャリアフィルムを切断せずに光学フィルム部材を切断する場合に、光学フィルム部材の欠点情報に基づいて、切断位置を調整するように制御することが好ましい。欠点情報は、切断前に欠点検査をして得られた情報である。
【００１３】
また、本発明において、前記表面処理は、プラズマ処理、オゾン処理、およびコロナ処理から選択されることを特徴とする。特に簡単な装置構成と表面処理の簡便性からコロナ処理が好ましい。
【００１４】
また、本発明において、第2キャリアフィルムと光学フィルム部材は、
式ｆ＝ｒ／Ｅ’（ｒは第2キャリアフィルムの剥離力（Ｎ／５０ｍｍ、Ｔ剥離法）、Ｅ’は曲げ応力であり、Ｅ’＝曲げ弾性率Ｅ（Ｎ／ｍｍ２、ＪＩＳ  Ｋ  ７２０３試験法）×光学フィルム部材の厚みｔ（ｍｍ）。）
であるとき、当該式が、
ｆ＝２．０×１０−４〜１．５×１０−３
であることを特徴とする。
【００１５】
また、本発明は、第2キャリアフィルムを切断せずに光学フィルム部材（および粘着剤層）を切断するための切断手段と、切断手段による切断処理において、当該切断位置で光学フィルム部材を停止させるために、当該切断手段の少なくとも搬送方向下流側に配置されるダンサー部と、第2キャリアフィルムを剥離するための剥離手段と、を備えている。ダンサー部は１つあるいは複数のダンサローラを備えている。そして、第2キャリアフィルムと光学フィルム部材とは、式ｆ＝ｒ／Ｅ’（ｒは第2キャリアフィルムの剥離力（Ｎ／５０ｍｍ、Ｔ剥離法）、Ｅ’は曲げ応力であり、Ｅ’＝曲げ弾性率Ｅ（Ｎ／ｍｍ２、ＪＩＳ  Ｋ  ７２０３試験法）×光学フィルム部材の厚みｔ（ｍｍ）。）の関係で表される。当該式ｆが２．０×１０−４〜１．５×１０−３の範囲であれば、光学フィルム部材が搬送途中で第2キャリアフィルムから剥離せず、剥離手段で好適に第2キャリアフィルムから剥離することになる。よって、ハーフカット後の搬送過程での光学フィルム部材の剥離を生じることなく、かつ、光学フィルム部材からの第2キャリアフィルムの剥離を良好に行うことができる光学表示ユニットの製造方法を提供することができた。
【００１６】
また、「欠点」は、例えば、表面又は内部の汚れ、傷、異物をかみ込んだ打痕状のひねったような特殊状欠点（クニックと称されることがある）、気泡、異物等を意味している。
【発明を実施するための最良の形態】
【００１７】
本発明の実施形態について以下に説明する。図１に光学表示ユニットの製造方法の一例のフローチャートを示す。図２に光学表示ユニットの製造システムの一例の主要構成を示す。図３に本発明に係る製造ラインの一例の構成について示す。図４に光学フィルム部材を光学表示ユニットに貼り合わせる動作について示す。図５に光学フィルム部材の構成例について示す。図６に切断後の搬送過程において光学フィルム部材が第２キャリアフィルムから剥離する状態について示す。図７にナイフエッジ先端において光学フィルム部材が剥離せず巻き込まれ先端が潰れる状態について示す。
【００１８】
（光学表示ユニット）
まず、本発明に用いられる光学表示ユニットは、例えば、液晶セルのガラス基板ユニット、有機ＥＬ発光体ユニット等が挙げられる。
【００１９】
（光学フィルム部材）
本発明の光学フィルム部材は、偏光子フィルム、位相差フィルム、輝度向上フィルム、それらフィルムの２以上の組み合わせ積層フィルムが例示される。これら光学フィルム部材の表面には、保護用の透明フィルムが積層される場合がある。また、光学フィルム部材の一方表面には、光学表示ユニットに貼り付けられるように、粘着剤が形成され、この粘着剤を保護するためのキャリアフィルム（以下では離型フィルムと称することがある）が設けられる。また、光学フィルム部材のその他方表面には、粘着剤を介して表面保護フィルムが設けられる。以下において、表面保護フィルムおよびキャリアフィルムが積層された光学フィルム部材をシート製品と称することがある。
【００２０】
（製造フローチャート）
（１）第１ロール原反準備工程（図１、Ｓ１）。長尺の第１シート製品を第１ロール原反として準備する。第１ロール原反の幅は、光学表示ユニットへの貼り合わせサイズに依存している。図５に示すように、第１シート製品Ｆ１の積層構造は、第１光学フィルムＦ１１と、第１キャリアフィルムＦ１２と、表面保護フィルムＦ１３とを有する。第１光学フィルムＦ１１は、第１偏光子Ｆ１１ａと、その一方面に接着剤層（不図示）を介した第１フィルムＦ１１ｂと、その他方面に接着剤層（不図示）を介した第２フィルムＦ１１ｃとで構成されている。また、光学フィルムには、その保護フィルムが一方面にのみ構成されていてもよく、その他方面を粘着剤層を介して離型フィルムで保護するように構成することができる。
【００２１】
第１、第２フィルムＦ１１ｂ、Ｆ１１ｃは、例えば、偏光子保護フィルム（例えばトリアセチルセルロースフィルム、ＰＥＴフィルム等）である。第２フィルムＦ１１ｃは、第１粘着剤Ｆ１４を介して光学表示ユニット面側に貼り合わされる。第１フィルムＦ１１ｂには、表面処理を施すことができる。表面処理としては、例えば、ハードコート処理や反射防止処理、スティッキングの防止や拡散ないしアンチグレア等を目的とした処理等が挙げられる。第１キャリアフィルムＦ１２は、第２フィルムＦ１１ｃと第１粘着剤層Ｆ１４を介して設けられている。また、表面保護フィルムＦ１３は、第１フィルムＦ１１ｂと粘着剤層Ｆ１５を介して設けられている。第１、第２フィルムＦ１１ｂ、Ｆ１１ｃの具体的構成は後述する。以下において、偏光子と偏光子保護フィルムとの積層構造を偏光板と称することがある。
【００２２】
（２）搬送工程（図１、Ｓ２）。準備され設置された第１ロール原反から第１シート製品Ｆ１を繰り出し、下流側に搬送する。第１シート製品Ｆ１を搬送する第１搬送装置１２は、例えば、ニップローラ対、テンションローラ、回転駆動装置、アキュムレート装置（ダンサー部Ａ１、Ａ２を有する）、センサ装置、制御装置等で構成されている。なお、別実施形態としてダンサー部Ａ１が省略され、この場合、切断処理で第1シート製品Ｆ１を停止させる場合に、第1切断装置１６の搬送方向上流側を切断処理にあわせて間欠搬送する構成になる。
【００２３】
（３）第１キャリアフィルム除去工程（図１、Ｓ３）。第１検査前剥離装置１３は、搬送されてきた第１シート製品Ｆ１から第１キャリアフィルムＦ１２を剥離し、第１キャリアフィルムＦ１２を巻取装置１３１に巻き取る構成である（図３参照）。巻取装置１３１の巻取り速度は制御装置１によって制御されている。第１キャリアフィルムＦ１２を剥離する剥離機構としては、例えば、図３に示すようにローラ対で挟みこみ一方のローラで光学フィルム部材にテンションをかけ、その他方のローラで第１キャリアフィルムＦ１２を巻きかけて剥離する構成が例示できる。また、別実施例として、先端が先鋭なナイフエッジ部を有し、このナイフエッジ部に第１キャリアフィルムＦ１２を巻き掛けて反転移送することにより、第１キャリアフィルムＦ１２を剥離すると共に、第１キャリアフィルムＦ１２を剥離した後の第１シート製品Ｆ１を搬送方向に搬送するように構成することができる。
【００２４】
（４）第１検査工程（図１、Ｓ４）。第１キャリアフィルムＦ１２が剥離された後の第１シート製品Ｆ１（光学フィルム部材）の欠点を第１欠点検査装置１４を用いて検査する。ここでの欠点検査方法としては、第１シート製品Ｆ１の両面に対し、透過光、反射光による画像撮影・画像処理する方法、検査用偏光フィルムをＣＣＤカメラと検査対象物との間に、検査対象である偏光板の偏光軸とクロスニコルとなるように配置して画像撮影・画像処理する方法、検査用偏光フィルムをＣＣＤカメラと検査対象物との間に、検査対象である偏光板の偏光軸と所定角度になるように配置して画像撮影・画像処理する方法が挙げられる。なお、画像処理のアルゴリズムは公知の方法を適用でき、例えば二値化処理による濃淡判定によって欠点を検出することができる。
【００２５】
そして、第１欠点検査装置１４は、第１キャリアフィルムＦ１２に内在する位相差および、第１キャリアフィルムＦ１２に付着または内在する異物や傷等の欠点を考慮する必要がなく、光学フィルム部材（第１光学フィルムＦ１１）の欠点検査を行なえる。第１欠点検査装置１４で得られた欠点の情報は、その位置情報（例えば、位置座標）とともに紐付けされて、制御装置１に送信され、後述する第１切断装置１６による切断方法に寄与させることができる。
【００２６】
（５）第２キャリアフィルム貼合工程（図１、Ｓ５）。第１フィルム貼合装置１５は、ロール対を備え、新たな第２キャリアフィルムＨ１２を、第１粘着剤層Ｆ１４を介して、第１光学フィルムＦ１１に貼り合せる。ロール対で、第２キャリアフィルムＨ１２と第１シート製品Ｆ１を挟みながら圧力調整しつつ貼り合わせる。この貼り合せに際し、気泡等の泡がみが生じないように行なうことが、平面性維持のため好ましい。
【００２７】
第２キャリアフィルムＨ１２は、回転ローラ１５１から繰り出される。繰り出された第２キャリアフィルムＨ１２は、第１表面処理装置４０によって、その貼り合わせ面に対し表面処理が施される。表面処理方法は、コロナ処理、プラズマ処理、オゾン処理が例示され、特にコロナ処理が装置構成の観点から好ましい。コロナ処理等の表面処理は、第２キャリアフィルムＨ１２の貼り合わせ面全体に施すことが好ましいが、長尺方向に沿って平行に複数の帯状に表面処理を施しても良い。表面処理される処理時間等は、第２キャリアフィルムＨ１２と光学フィルム部材（粘着剤層）との粘着結合力によって設定される。粘着結合力は、Ｔ剥離法の試験によって評価される。
【００２８】
第２キャリアフィルムの貼り合わせ面に表面処理を施すことで、粘着剤層との結合力が向上し、例えば図６に示すようにダンサー部Ａ２のロール１２２や第１搬送装置１２のロール１２１で、第１シート製品Ｆ１が、第２キャリアフィルムＨ１２から剥離することがない。さらに、図７に示すように、ナイフエッジ部１７１の先端部で第１シート製品Ｆ１が第２キャリアフィルムＨ１２から剥離せずに巻き込まれるようなことがなく、スムーズにベロだしがなされる。
【００２９】
そして、以下の式ｆが２．０×１０−４〜１．５×１０−３の範囲の場合に、光学フィルム部材が搬送途中で剥離せず、かつナイフエッジ部１７１で好適に剥離することが後述する実験から確かめられた。
（式１）ｆ＝ｒ／Ｅ’・・・（１）
（ｒはキャリアフィルムの剥離力（Ｎ／５０ｍｍ、Ｔ剥離法）、Ｅ’は曲げ応力であり、Ｅ’＝曲げ弾性率Ｅ（Ｎ／ｍｍ２、ＪＩＳ  Ｋ  ７２０３試験法）×光学フィルム部材の厚みｔ（ｍｍ）。）
【００３０】
（６）第１切断工程（図１、Ｓ６）。第１切断装置１６は、第２キャリアフィルムＨ１２を切断せずに、表面保護フィルムＦ１３、粘着剤層Ｆ１５、第１光学フィルムＦ１１および第１粘着剤層Ｆ１４を所定サイズに切断する。切断手段としては、例えば、レーザ装置、カッター、その他の公知の切断手段等が挙げられる。第１欠点検査装置１４で得られた欠点の情報に基づいて、欠点を避けるように切断するように構成される。これにより、第１シート製品Ｆ１の歩留まりを大幅に向上できる。欠点を含む第１シート製品Ｆ１は、後述する第１排出装置１９によって排出され、光学表示ユニットＷには貼り付けされないように構成される。
【００３１】
（７）良品判定（図１、Ｓ７）。第１欠点検査装置１４による欠点検査の結果、良品か否かが判定される。良品判定の判定基準は予め設定され、例えば、所定面積あたりの欠点数、欠点サイズ、欠点の種類によって設定される。
【００３２】
（８）第１光学フィルム貼合工程（図１、Ｓ８−１）。欠点検査で良品判定された第１シート製品Ｆ１の貼り合わせ処理が行なわれる。図４に示すように、第１シート製品Ｆ１（光学フィルム部材）は、ナイフエッジ１７１に沿って搬送され（図４（ａ）参照）、次いで、第１シート製品Ｆ１（光学フィルム部材）の先端は、ナイフエッジ１７１の先端からベロだし（剥離）する（図４（ｂ）参照）。次いで、ベロだしされた第１シート製品Ｆ１と光学表示ユニットＷが同期搬送され、押さえローラ１８１と案内ローラ１８２のロール対によって第１シート製品Ｆ１と光学表示ユニットＷは挟みこまれ圧力が作用されて貼り合わされる（図４（ｃ）参照）。なお、第１シート製品Ｆ１は、横倒し状態の光学表示ユニットＷの天井面側に貼り合わせてもよく、床側面に貼り合わせてもよい。図３では第１シート製品Ｆ１は、横倒し状態の光学表示ユニットＷの天井面側に貼り合わせさている。これにより、第１光学フィルムが光学表示ユニットの一方面に貼り合わされる。
【００３３】
第１剥離装置１７を用いて第２キャリアフィルムＨ１２を除去しながら（剥離工程）、第１貼合装置１８を用いて当該第２キャリアフィルムＨ１２が除去された第１光学フィルムＦ１１を第１粘着剤層Ｆ１４を介して光学表示ユニットＷに貼り合わせる。貼り合せに際し、後述するように、第１光学フィルムＦ１１と光学表示ユニットＷをロール対（押えローラ１８１、案内ローラ１８２）で挟んで圧着する。
【００３４】
（９）第１光学フィルム排除工程（図１、Ｓ８−２）。欠点検査で不良品判定された第１シート製品Ｆ１の排除処理が行なわれる。排除処理の構成例は後述する。
【００３５】
（１０）また、光学表示ユニットＷは、付着、汚れ等が予め除去されていることが好ましい。付着、汚れ等が除去された後、光学表示ユニットＷは、搬送機構によって、第１貼合装置１８まで搬送される（ステップＳ８へ）。
【００３６】
以上の一連の製造工程において、光学表示ユニットＷの一方面に第１光学フィルムＦ１１が貼り合わされた。以下では、その他面に第２光学フィルムＦ２１を貼り合わる製造工程について説明する。
【００３７】
（１１）第２ロール原反準備工程（図１、Ｓ１１）。長尺の第２シート製品Ｆ２を第２ロール原反として準備する。図５の示すように、第２シート製品Ｆ２の積層構造は、第１シート製品Ｆ１と同様の構成であるが、これに限定されない。第２シート製品Ｆ２は、第２光学フィルムＦ２１と、第３キャリアフィルムＦ２２と、表面保護フィルムＦ２３とを有する。第２光学フィルムＦ２１は、第２偏光子２１ａと、その一方面に接着剤層（不図示）を介した第３フィルムＦ２１ｂと、その他方面に接着剤層（不図示）を介した第４フィルムＦ２１ｃとで構成されている。また、光学フィルムには、その保護フィルムが一方面にのみ構成されていてもよく、その他方面を粘着剤層を介して離型フィルムで保護するように構成することができる。
【００３８】
第３、第４フィルムＦ２１ｂ、Ｆ２１ｃは、例えば、偏光子保護フィルム（例えばトリアセチルセルロースフィルム、ＰＥＴフィルム等）である。第４フィルムＦ２１ｃは、第２粘着剤層Ｆ２４を介して光学表示ユニット面側に貼り合わされる。第３フィルムＦ２１ｂには、表面処理を施すことができる。表面処理としては、例えば、ハードコート処理や反射防止処理、スティッキングの防止や拡散ないしアンチグレア等を目的とした処理等が挙げられる。第３キャリアフィルムＦ２２は、第４フィルムＦ２１ｃと第２粘着剤層Ｆ２４を介して設けられている。また、表面保護フィルムＦ２３は、第３フィルムＦ２１ｂと粘着剤層Ｆ２５を介して設けられている。
【００３９】
（１２）搬送工程（図１、Ｓ１２）。準備され設置された第２ロール原反から第２シート製品Ｆ２を繰り出し、下流側に搬送する。第２シート製品を搬送する第２搬送装置２２は、例えば、ニップローラ対、テンションローラ、回転駆動装置、アキュムレート装置（ダンサー部を有する）、センサ装置、制御装置等で構成されている。
【００４０】
（１３）第３キャリアフィルム除去工程（図１、Ｓ１３）。第２検査前剥離装置２３は、搬送されてきた第２シート製品Ｆ２から第２キャリアフィルムＦ２２を剥離し、第２キャリアフィルムＦ２２を巻取装置（不図示）に巻き取る構成である。巻取装置の巻取り速度は制御装置１によって制御されている。第３キャリアフィルムＦ２２を剥離する剥離機構としては、例えば、第１キャリアフィルムＦ１２を剥離する剥離機構と同様の機構が例示される。
【００４１】
（１４）第２検査工程（図１、Ｓ１４）。第３キャリアフィルムＦ２２が剥離された後の第２シート製品Ｆ２（光学フィルム部材）の欠点を第２欠点検査装置２４を用いて検査する。ここでの欠点検査方法は、上述した第１欠点検査装置による方法と同様である。
【００４２】
（１５）第４キャリアフィルム貼合工程（図１、Ｓ１５）。第２フィルム貼合装置２５は、ロール対を備え、新たな第４キャリアフィルムＨ２２を、第２粘着剤層Ｆ２４を介して、第２光学フィルムＦ２１に貼り合せる。ロール対で、第４キャリアフィルムＨ２２と第２シート製品Ｆ２を挟みながら圧力調整しつつ貼り合わせる。この貼り合せに際し、気泡等の泡がみが生じないように行なうことが、平面性維持のため好ましい。なお、第4キャリアフィルムとして、第3キャリアフィルムを再利用してもよい。
【００４３】
第４キャリアフィルムＨ２２は、回転ローラから繰り出される。繰り出された第４キャリアフィルムＨ２２は、第２表面処理装置４１によって、その貼り合わせ面に対し表面処理が施される。表面処理方法は、上記の表面処理方法と同様である。
【００４４】
（１６）第２切断工程（図１、Ｓ１６）。第２切断装置２６は、第４キャリアフィルムＨ２２を切断せずに、表面保護フィルムＦ２３、粘着剤層Ｆ２５、第２光学フィルムＦ２１および第２粘着剤層Ｆ２４を所定サイズに切断する。切断手段は上記の第１切断装置１６の方法と同様である。第２欠点検査装置２４で得られた欠点の情報に基づいて、欠点を避けるように切断するように構成される。これにより、第２シート製品Ｆ２の歩留まりが大幅に向上する。欠点を含む第２シート製品Ｆ２は、後述する第２排出装置２９によって排出され、光学表示ユニットＷ１には貼り付けされないように構成される。
【００４５】
（１７）良品判定（図１、Ｓ１７）。第２欠点検査装置２４による欠点検査の結果、良品か否かが判定される。良品判定の判定基準は予め設定され、例えば、所定面積あたりの欠点数、欠点サイズ、欠点の種類によって設定される。
【００４６】
（１８）第２光学フィルム貼合工程（図１、Ｓ１８−１）。欠点検査で良品判定された第２シート製品Ｆ２の貼り合わせ処理が行なわれる。第２シート製品Ｆ２は、横倒し状態の光学表示ユニットＷ１の天井側面に貼り合わされる。これにより、光学表示ユニットの両面に光学フィルムが形成される。
【００４７】
第２剥離装置２７を用いて第４キャリアフィルムＨ２２を除去しながら（剥離工程）、第２貼合装置２８を用いて当該第４キャリアフィルムＨ２２が除去された第２光学フィルムＦ２１を第２粘着剤層Ｆ２４を介して光学表示ユニットＷ１に貼り合わせる。なお、第２光学フィルムＦ２１を光学表示ユニットＷ１に貼り合せる前に、搬送機構の搬送方向切り替え機構によって光学表示ユニットＷ１を９０度回転させ、第１光学フィルムＦ１１と第２光学フィルムＦ２１をクロスニコルの関係にする場合がある。貼り合せに際し、後述するように、第２光学フィルムＦ２１と光学表示ユニットＷ１をロール対（２８１、２８２）で挟んで圧着する。以上によって、光学表示ユニットＷの一方面に第１光学フィルムＦ１１が、その他面に第２光学フィルムＦ２１が貼り合わされ、両面に光学フィルムが設けられた光学表示ユニットＷ１２を製造することができる。
【００４８】
（１９）第２光学フィルム排除工程（図１、Ｓ１８−２）。欠点検査で不良品判定された第２シート製品Ｆ２（すなわち第２光学フィルム）の排除処理が行なわれる。排除処理の構成例は後述する。
【００４９】
（２０）また、両面に光学フィルムを貼り合わせた光学表示ユニットＷ１２に対し、目視検査あるいは、公知の検査装置を用いて検査を行なってもよい。なお、この検査工程は省略される場合もある。
【００５０】
（２１）上記の検査結果に応じて、光学表示ユニットＷ１２の良品判定がなされる。良品判定された光学表示ユニットＷ１２は、次の実装工程に搬送される。不良品判定された場合、リワーク処理が施され、新たに光学フィルムが貼られ、次いで検査され、良品判定の場合、実装工程に移行し、不良品判定の場合、再度リワーク処理に移行するかあるいは廃棄処分される。なお、検査工程がない場合この良品判定、リワーク処理等は行なわず、実装工程に移行する。
【００５１】
以上の一連の製造工程において、第１光学フィルムＦ１１貼合工程と第２光学フィルムＦ２１貼合工程とを連続した製造ラインで実行することによって、光学表示ユニットを好適に製造することができる。また、上記各工程を工場内から隔離した隔離構造内部で行なうことで、清浄度が確保された環境で光学フィルムを光学表示ユニットに貼り合わせることができ、高品質の光学表示ユニットを製造することができる。
【００５２】
（実施形態の製造方法を実現する好適な製造システム）
以下に、実施形態の製造方法を実現する好適な製造システムの一例について説明する。
【００５３】
図３は、第１シート製品Ｆ１を光学表示ユニットＷに貼り合わせる製造ラインの一例について示す。図４は、第１剥離装置１７、第１貼付装置１８の一例について示す。図３に示すアキュムレータ装置のダンサー部Ａ１，Ａ２は、それぞれ単数に限定されず、複数設置されていてもよい。
【００５４】
第１切断装置１６は、第１シート製品Ｆ１をその床面側から吸着保持する保持テーブルを配置し、レーザ装置を第１シート製品Ｆ１の天井面側から下方に備える。第１シート製品Ｆ１の幅方向にレーザを走査させるように平行移動し、最下部の第２キャリアフィルムＨ１２を残して第１光学フィルムＦ１１、第１粘着剤層Ｆ１４、表面保護フィルムＦ１３、粘着剤層Ｆ１５をその搬送方向に所定ピッチで切断（以下、適宜「ハーフカット」という）する。第１シート製品Ｆ１を保持テーブルで吸着する場合に、その下流側と上流側の第１シート製品Ｆ１の連続搬送を停止しないように、搬送機構のアキュムレート装置は上下垂直方向に移動するように構成されている。この動作も制御装置１の制御による。これにより、第１切断装置１６からダンサー部Ａ２のローラ１２２までの搬送過程では、第１シート製品は停止しているが、アキュムレート装置のダンサー部Ａ１の上流側と、アキュムレート装置のダンサー部Ａ２の下流側では第１シート製品Ｆ１は連続して搬送されている。
【００５５】
第１貼合装置１８は、上記切断処理後に、第１剥離装置１７によって第２キャリアフィルムＨ１２が剥離された第１シート製品Ｆ１（第１光学フィルムＦ１１）を、第１粘着剤層Ｆ１４を介して光学表示ユニットＷに貼り合せる。第１検査装置１４による検査で良品判定された第１シート製品Ｆ１のみが、光学表示ユニットＷと貼り合わされる。良品判定された第１シート製品Ｆ１と光学表示ユニットＷが貼り合わせ位置に同期して搬送される。図４に示すように、第１シート製品Ｆ１および光学表示ユニットＷのそれぞれの先端部分が重なり合うように搬送される。これは、制御装置１が、第１搬送装置１２（アキュムレート装置を含む）および搬送機構を連動するように制御し実現している。
【００５６】
図４に示すように、貼り合せる場合に、押さえローラ１８１、案内ローラ１８２によって、第１光学フィルムＦ１１を光学表示ユニットＷ面に圧接しながら貼り合わせる。押さえローラ１８１、案内ローラ１８２の押さえ圧力、駆動動作は、制御装置１によって制御される。
【００５７】
第１剥離装置１７の剥離機構１７１としては、先端が先鋭なナイフエッジ部を有し、このナイフエッジ部に第２キャリアフィルムＨ１２を巻き掛けて反転移送することにより、第２キャリアフィルムＨ１２を剥離（スムーズに第１シート製品Ｆ１のベロだしをして剥離）すると共に、第２キャリアフィルムＨ１２を剥離した後の第１シート製品Ｆ１（第１光学フィルムＦ１１）を光学表示ユニットＷ面に送り出すように構成される。剥離された第２キャリアフィルムＨ１２はロール２２０に巻き取られる。ロール２２０の巻取り制御は、制御装置１によって制御される。
【００５８】
貼合せ機構としては、押さえロ一ラ１８１とそれに対向して配置される案内ローラ１８２とから構成されている。案内ローラ１８２は、モータにより回転駆動するゴムローラで構成され、当該ローラを昇降可能とする駆動機構を備えて配備されている。また、その直上方にはモータにより回転駆動する金属ローラからなる押さえローラ１８１が、当該ローラを昇降可能とする駆動機構を備えて配備されている。光学表示ユニットＷを貼合せ位置に送り込む際には押さえローラ１８１は、貼り合わせ位置から離れるように移動しローラ間隔を開けるようになっている。なお、案内ローラ１８２および押さえローラ１８１は、いずれもゴムローラであってもよいし金属ローラであってもよい。なお、光学表示ユニットＷは、各種洗浄装置によって洗浄され、搬送機構によって搬送される構成である。この搬送機構の搬送制御も制御装置１の制御による。
【００５９】
第２切断装置２６は、欠点検査後に、第４キャリアフィルムＨ２２を切断せずに、第２光学フィルムＦ２１、表面保護フィルム２５、第２粘着剤層Ｆ２４、粘着剤層Ｆ２５を所定サイズに切断する。第２切断装置２６は、例えばレーザ装置である。第２欠点検査処理で検出された欠点の位置座標に基づいて、第２切断装置２６は、欠点部分を避けるように所定サイズに切断する。すなわち、欠点部分を含む切断品は不良品として後工程で第２排出装置２９によって排出される。あるいは、第２切断装置２６は、欠点の存在を無視して、連続的に所定サイズに切断してもよい。この場合、後述の貼り合せ処理において、当該部分を貼り合せずに除去するように構成できる。この場合の制御も制御装置１の機能による。
【００６０】
また、第２切断装置２６は、第２シート製品Ｆ２を天井面側から吸着保持する保持テーブルを配置し、レーザ装置を第２シート製品Ｆ２の床面側に備える。第２シート製品Ｆ２の幅方向にレーザを走査させるように平行移動し、最上部の第４キャリアフィルムＨ２２を残して第２光学フィルムＦ２１、第２粘着剤層Ｆ２４、表面保護フィルムＦ２３、粘着剤層Ｆ２５をその搬送方向に所定ピッチで切断する。第２シート製品Ｆ２を保持テーブルで吸着する場合に、その下流側と上流側の第２シート製品Ｆ２の連続搬送を停止しないように、搬送機構のアキュムレート装置は上下垂直方向に移動するように構成されている。この動作も制御装置１の制御による。これにより、第２切断装置２６から下流側のダンサー部までの搬送過程では、第２シート製品Ｆ２は停止しているが、第２切断装置２６の上流側のアキュムレート装置のダンサー部の上流側と、第２切断装置２６から下流側のアキュムレート装置のダンサー部の下流側では第２シート製品Ｆ２は連続して搬送されている。
【００６１】
第２貼合装置２８は、切断処理後に、第２剥離装置２７によって第４キャリアフィルムＨ２２が剥離された第２シート製品Ｆ２（第２光学フィルムＦ２１）を、第２粘着剤層Ｆ２４を介して光学表示ユニットＷ１に貼り合せる。貼り合せる場合に、押さえローラ（不図示）、案内ローラ（不図示）によって、第２光学フィルムＦ２１を光学表示ユニットＷ１面に圧接しながら貼り合わせる。押さえローラ、案内ローラの押さえ圧力、駆動動作は、制御装置１によって制御される。第２検査装置２４によって、良品判定された第２シート製品Ｆ２のみが、光学表示ユニットＷ１と貼り合わされる。良品判定された第２シート製品Ｆ２と光学表示ユニットＷ１が貼り合わせ位置に同期して搬送される。図４と同様に、第２シート製品Ｆ２および光学表示ユニットＷ１のそれぞれの先端部分が重なり合うように搬送される。これは、制御装置１が、第２搬送装置２２（アキュムレート装置を含む）および搬送機構を連動するように制御し実現している。
【００６２】
第２剥離装置２７の剥離機構２７１は、上述の第１剥離装置１７の剥離機構と同様に構成できる。貼合せ機構も上述の貼合わせ機構と同様に構成する。
【００６３】
第１、第２シート製品が貼り合わせされた光学表示ユニットＷ１２は、検査装置３０に搬送される。検査装置３０は、搬送されてきた光学表示ユニットＷ１２の両面に対し検査を実行する。検査装置３０の光源は、光学表示ユニットＷ１２の下面側から垂直に照射し、その透過光像を検査装置３０のＣＣＤカメラによって画像データとして撮像する。また、光源を所定角度で光学表示ユニットＷ１２表面を照射し、その反射光像をＣＣＤカメラによって画像データとして撮像するように構成できる。これら画像データから欠点が画像処理して解析され、良品判定がなされる。
【００６４】
それぞれの装置の動作タイミングは、例えば、所定の位置にセンサを配置して検知する方法で算出され、または、搬送装置や搬送機構の回転部材をロータリーエンコーダ等で検出するようにして算出される。制御装置１は、ソフトウエアプログラムとＣＰＵ、メモリ等のハードウエア資源との協同作用によって実現されてもよく、この場合プログラムソフトウエア、処理手順、各種設定等はメモリが予め記憶されている。また、専用回路やファームウエア等で構成できる。また、制御装置１は、それぞれの装置を一括して制御する構成であるが、これに制限されず、それぞれの装置ごとに制御部を設け、制御装置１からの指令に応じて、それぞれの装置の制御部がそれぞれの装置の動作を制御するように構成することもできる。
【００６５】
（排出装置の実施例）
不良品判定されたシート製品を排出する排出装置について説明する。第１、第２排出装置１９、２９は、ロボットアームを有して構成される。ロボットアームは、排出部材（不良品として判定された第1シート製品：切断された部材に相当する）の両面を挟持し、回収容器まで移動し、回収容器上で排出部材を開放するように構成できる。
【００６６】
（実施例）
上記の製造システムを用い、以下の実験を行なった。ナイフエッジ部１７１の先端形状は、曲率半径２ｍｍの先端Ｒ形状である。貼合装置での偏光板（光学フィルム部材に相当する）の搬送速度は１５ｍ／分である。切断装置による間欠搬送における初速度は５ｍ／分である。偏光板の曲げ弾性率（Ｅ）は、ＪＩＳ  Ｋ  ７２０３の試験方法によって測定される。厚み（ｔ）は偏光板の厚みである。剥離力（ｒ）は、Ｎ／５０ｍｍでのＴ剥離法による試験方法によって測定される。ｆはｒ／Ｅ’で算出され、Ｅ’は曲げ弾性率（Ｅ）（Ｎ／ｍｍ２）×厚み（ｔ）で算出される。  
【００６７】
新たに貼り合わされる第２キャリアフィルム（ＰＥＴフィルムを使用）の貼り合わせ面にはコロナ処理が施される。コロナ処理条件（コロナ強度）に対する剥離力ｒの関係を以下の表１に示す。
【表１】
2010026314.tif 000003
【００６８】
ｆの値を変えた場合の「ターン／Ｒ走行性」と「剥離バー剥離性」との評価を行ない、その評価結果（実施例１から４、比較例１から３）について以下の表２に示す。
【表２】
2010026314.tif 000004
【００６９】
搬送過程における偏光板の第２キャリアフィルムからの剥離は、「ターン／Ｒ走行性」の欄に示す。表２において、ターン／Ｒ走行性はｆ＝１．１×１０−４以下では偏光板が第２キャリアフィルムから剥離したが（剥離不良：×として表示）、ｆ＝４．４×１０−４以上では剥離しなかった（○として表示）。ナイフエッジ部１７１での剥離性は、「剥離バー剥離性」の欄に示す。表２において、剥離バー剥離性はｆ＝１．８×１０−３以上ではベロだしがなされず、偏光板の先端が潰れてしまったが（剥離不良：×として表示）、ｆ＝１．３×１０−３以下ではスムーズにベロだしがなされた（剥離良好：○として表示）。すなわち、両方を満足するｆは、４．４×１０−４以上１．３×１０−３以下の範囲であることが分かった。  
【００７０】
また、偏光板の搬送速度を０ｍ／分を超えて３０ｍ／分以下に変更しておこなったが、上記ｆの範囲と同様であった。また、第２キャリアフィルムの構成、厚みを変更して行なったが上記ｆの範囲と同様であった。また、コロナ処理に代わり、プラズマ処理やオゾン処理によっても上記ｆの範囲を満足させることができる。  
【００７１】
また、偏光板、粘着剤層、第２キャリアフィルムの固体差を考慮し、ｆの範囲を上述の４．４×１０−４以上１．３×１０−３以下の範囲よりも、２．０×１０−４以上１．５×１０−３以下の範囲にすることが好ましい。
【００７２】
前記においても、第１光学フィルム、第２光学フィルムを形成する偏光子、および偏光子の片側または両側に用いられるフィルムについては一部説明しているが、一般的には、以下の材料を例示できる。
【００７３】
（偏光子）
ポリビニルアルコール系フィルムの染色、架橋、延伸の各処理は、別々に行う必要はなく同時に行ってもよく、また、各処理の順番も任意でよい。なお、ポリビニルアルコール系フィルムとして、膨潤処理を施したポリビニルアルコール系フィルムを用いてもよい。一般には、ポリビニルアルコール系フィルムを、ヨウ素や二色性色素を含む溶液に浸漬し、ヨウ素や二色性色素を吸着させて染色した後洗浄し、ホウ酸やホウ砂等を含む溶液中で延伸倍率３倍〜７倍で一軸延伸した後、乾燥する。ヨウ素や二色性色素を含む溶液中で延伸した後、ホウ酸やホウ砂等を含む溶液中でさらに延伸（二段延伸）した後、乾燥することにより、ヨウ素の配向が高くなり、偏光度特性が良くなるため、特に好ましい。
【００７４】
偏光子とその保護層である透明の偏光子保護フィルムとの接着処理は、特に限定されるものではないが、例えば、ビニルアルコール系ポリマーからなる接着剤、あるいは、ホウ酸やホウ砂、グルタルアルデヒドやメラミン、シュウ酸などのビニルアルコール系ポリマーの水溶性架橋剤から少なくともなる接着剤等を介して行うことができる。かかる接着層は、水溶液の塗布乾燥層等として形成されるが、その水溶液の調製に際しては必要に応じて、他の添加剤や、酸等の触媒も配合することができる。
【００７５】
（偏光子保護層：偏光子保護フィルム）
偏光子の片側又は両側に設ける偏光子保護層には、適宜な透明フィルムを用いることができる。例えば透明性、機械的強度、熱安定性、水分遮断性、等方性などに優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネイト樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物があげられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。透明保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤などがあげられる。
【００７６】
前記透明保護フィルムは、接着剤を塗工する前に、偏光子との接着性を向上させるために、表面改質処理を行ってもよい。具体的な処理としては、コロナ処理、プラズマ処理、フレーム処理、オゾン処理、プライマー処理、グロー処理、ケン化処理、カップリング剤による処理などがあげられる。また適宜に帯電防止層を形成することができる。
【００７７】
本発明による光学フィルムは、実用に際して各種光学層を積層した多層積層構造の光学フィルムも例示できる。その光学層については特に限定されるものではないが、例えば、前記透明保護フィルムの偏光子を接着させない面（前記接着剤塗布層を設けない面）に対して、ハードコート処理や反射防止処理、スティッキング防止や、拡散ないしアンチグレアを目的とした表面処理を施したり、視角補償等を目的とした配向液晶層を積層する方法があげられる。また、反射板や半透過板、位相差板（１／２や１／４等の波長板（λ板）を含む）などの液晶表示装置等の形成に用いられる光学フィルムを１層または２層以上貼りあわせたものもあげられる。
【００７８】
（位相差板）
偏光子に積層される光学フィルムの一例として位相差板が挙げられる。位相差板としては、高分子材料を一軸または二軸延伸処理してなる複屈折性フィルム、液晶ポリマーの配向フィルム、液晶ポリマーの配向層をフィルムにて支持したものなどがあげられる。延伸処理は、例えばロール延伸法、長間隙沿延伸法、テンター延伸法、チューブラー延伸法などにより行うことができる。延伸倍率は、一軸延伸の場合には１．１〜３倍程度が一般的である。位相差板の厚さも特に制限されないが、一般的には１０〜２００μｍ、好ましくは２０〜１００μｍである。
【００７９】
前記高分子材料としては、例えば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネイト、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などがあげられる。これら高分子素材は延伸等により配向物（延伸フィルム）となる。
【００８０】
位相差板は、例えば各種波長板や液晶層の複屈折による着色や視角等の補償を目的としたものなどの使用目的に応じた適宜な位相差を有するものであってよく、２種以上の位相差板を積層して位相差等の光学特性を制御したものなどであってもよい。
【００８１】
（粘着剤）
本発明による偏光板や、前記の積層光学フィルム部材には、液晶セル等の他部材と接着するための粘着層が設けられる。その粘着層は、特に限定されるものではないが、アクリル系等の従来に準じた適宜な粘着剤にて形成することができる。吸湿による発泡現象や剥がれ現象の防止、熱膨脹差等による光学特性の低下や液晶セルの反り防止、ひいては高品質で耐久性に優れる画像表示装置の形成性等の点により、吸湿率が低くて耐熱性に優れる粘着層であることが好ましい。また、微粒子を含有して光拡散性を示す粘着層などとすることができる。粘着層は必要に応じて必要な面に設ければよく、例えば、偏光子と偏光子保護層からなる偏光板について言及するならば、必要に応じて、偏光子保護層の片面または両面に粘着層を設ければよい。
【００８２】
（キャリアフィルム）
前記粘着層の露出面に対しては、実用に供するまでの間、その汚染防止等を目的にキャリアフィルム（セパレータと称することがある。）が仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００８３】
このセパレータが設けられた面と反対面の偏光板には、表面保護フィルムが弱粘着剤を介して形成される。その目的は、傷防止、汚染防止等が主目的である。表面保護フィルムとしては、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００８４】
（液晶表示装置）
本発明の光学フィルムは液晶表示装置等の各種装置の形成などに好ましく用いることができる。液晶表示装置の形成は、従来に準じて行いうる。すなわち液晶表示装置は一般に、液晶セル（光学表示ユニットに相当する。）と光学フィルム、及び必要に応じての照明システム等の構成部品を適宜に組立てて駆動回路を組込むことなどにより形成されるが、本発明においては本発明による光学フィルムを用いる点を除いて特に限定はなく、従来に準じうる。液晶セルについても、例えばＴＮ型やＳＴＮ型、π型などの任意なタイプのものを用いうる。
【図面の簡単な説明】
【００８５】
【図１】光学表示ユニットの製造方法の一例のフローチャート
【図２】製造システムの一例を説明するための図
【図３】製造ラインの一例の構成について示す図
【図４】光学フィルム部材を光学表示ユニットに貼り合わせる動作について示す図
【図５】光学フィルム部材の構成例について示す図
【図６】切断後の搬送過程において光学フィルム部材が第２キャリアフィルムから剥離する状態について示す図
【図７】ナイフエッジ先端において光学フィルム部材が剥離せず巻き込まれ先端が潰れる状態について示す図
【符号の説明】
【００８６】
Ｆ１      第１シート製品
Ｆ２      第２シート製品
Ｆ１１    第１光学フィルム
Ｆ１２    第１キャリアフィルム
Ｆ１４    第１粘着剤層
Ｆ２１    第２光学フィルム
Ｆ２２    第３キャリアフィルム
Ｆ２４    第２粘着剤層
Ｈ１２    第２キャリアフィルム
Ｈ２２    第４キャリアフィルム
Ｗ        光学表示ユニット
１        制御装置
４０      第１表面処理装置
４１      第２表面処理装置
【図１】
2010026314.tif 000005
【図２】
2010026314.tif 000006
【図３】
2010026314.tif 000007
【図４】
2010026314.tif 000008
【図５】
2010026314.tif 000009
【図６】
2010026314.tif 000010
【図７】
2010026314.tif 000011